(57)【要約】【課題】原稿押さえユニットに貼り付いた原稿が原稿台と原稿押さえユニットとの隙間から落下するのを効果的に防止する。【解決手段】装置本体１０２上には原稿が載置される。原稿台カバー１０３が支持部４０を介して装置本体１０２に開閉可能に支持されている。原稿台カバー１０３には、落下防止ユニット３が設けられている。落下防止ユニット３は、装置本体１０２の側へ突出する突出位置と、装置本体１０２の側へ突出する突出方向とは反対方向に退避する退避位置とに原稿台カバー１０３の開閉に連動して移動可能である。落下防止ユニット３は、原稿台カバー１０３が開いている状態では、突出位置に移動し、原稿台カバー１０３が閉じている状態では、退避位置に移動する。【選択図】図２
2018054902.tif 000002
【特許請求の範囲】
【請求項１】
原稿が載置される原稿台と、
前記原稿台に対して開閉可能な原稿押さえユニットと、
前記原稿押さえユニットを、前記原稿台に対して開閉可能に支持する支持部と、
前記原稿押さえユニットを支持せずに、前記原稿押さえユニットの開動作に連動して、原稿が前記支持部側の前記原稿台と前記原稿押さえユニットとの間の隙間から落下するのを防止するように突出する落下防止ユニットと、を備えたことを特徴とする画像読取装置。
【請求項２】
前記落下防止ユニットは、前記原稿押さえユニットの開動作に連動して原稿が前記支持部側の前記原稿台と前記原稿押さえユニットとの間の隙間から落下するのを防止するように突出する突出位置へ移動し、前記原稿押さえユニットの閉動作に連動して前記原稿押さえユニットが突出位置へ向かう突出方向と反対方向に退避する退避位置へ移動することを特徴とする請求項１に記載の画像読取装置。
【請求項３】
前記原稿押さえユニットは、前記支持部を介して前記原稿台に支持される本体と、前記本体に固定され、前記原稿台に載置された原稿を押圧する原稿押圧板と、を有し、
前記落下防止ユニットは、前記突出位置に移動した状態で、前記原稿押圧板の表面よりも前記突出方向に突出することを特徴とする請求項２に記載の画像読取装置。
【請求項４】
前記落下防止ユニットは、前記原稿押圧板と前記支持部との間で前記突出方向に突出するように配置されていることを特徴とする請求項３に記載の画像読取装置。
【請求項５】
前記落下防止ユニットは、前記本体又は前記原稿押圧板に固定されていることを特徴とする請求項３又は４に記載の画像読取装置。
【請求項６】
前記落下防止ユニットは、前記原稿押さえユニットが閉じたときに前記原稿台に接触して前記退避位置へ移動することを特徴とする請求項２乃至５のいずれか１項に記載の画像読取装置。
【請求項７】
前記落下防止ユニットは、弾性変形可能な弾性変形部を有することを特徴とする請求項６に記載の画像読取装置。
【請求項８】
原稿画像を読み取る請求項１乃至７のいずれか１項に記載の画像読取装置と、
前記画像読取装置によって読み取られた画像をシートに形成する画像形成部と、を備えたことを特徴とする画像形成装置。
【発明の詳細な説明】
【技術分野】
【０００１】
本発明は、原稿台に対して開閉可能な原稿押さえユニットを備えた画像読取装置、及び画像読取装置を備えた画像形成装置に関する。
【背景技術】
【０００２】
複写機や複合機、スキャナなど、画像形成装置に搭載されている画像読取装置には、原稿台カバーや自動原稿搬送装置（ＡＤＦ：Auto  Document  Feeder）などの原稿押さえユニットを備えたものがある。原稿押さえユニットは支持部で原稿台に対して開閉可能に支持されている。原稿押さえユニットは、原稿台に載置した原稿を原稿台に密着させるために、原稿台に対向する原稿押さえユニットの本体の下面に取り付けられた原稿押圧板を備えている。
【０００３】
ところで、ユーザは、コピーやスキャンのために原稿を原稿台へセットし、原稿押さえユニットを閉じて原稿を原稿台に押圧密着させて、画像読取装置に所定の読取動作を行わせた後、原稿を取り出すために原稿押さえユニットを開けることになる。このとき原稿が原稿台から落下するのを防止するために、原稿台に落下防止用の突部を設けたものが提案されている（特許文献１参照）。
【先行技術文献】
【特許文献】
【０００４】
【特許文献１】特開２０１１−６９９４７号公報
【発明の概要】
【発明が解決しようとする課題】
【０００５】
しかしながら、特許文献１のように原稿台に突部を設けても、原稿押さえユニットを開いた状態で支持部側の原稿押さえユニットと原稿台との隙間をなくすことは困難である。そして、ユーザが原稿押さえユニットを勢いよく開けた場合には、原稿が原稿押さえユニットに貼り付くことが多かった。開いた状態の原稿押さえユニットはある程度の傾斜角度で保持されるため、原稿は、原稿押さえユニットに貼り付いたまま、原稿押さえユニットの傾斜方向下方、即ち支持部に向けてスライドして移動することになる。このため、原稿は、原稿台に設けた突部の上を乗り越えて、原稿台と原稿押さえユニットとの隙間を通り抜け、画像読取装置（画像形成装置）の後ろ側へ落下することがあり、原稿台に設けた突部では、原稿の落下を防ぎきることができなかった。そして、画像読取装置（画像形成装置）が屋内の壁際に設置されている場合には、装置後方へ落下した原稿を拾うのが困難であった。
【０００６】
そこで、本発明は、原稿押さえユニットに貼り付いた原稿が、支持部側の原稿台と原稿押さえユニットとの隙間から落下するのを効果的に防止することを目的とする。
【課題を解決するための手段】
【０００７】
本発明の画像読取装置は、原稿が載置される原稿台と、前記原稿台に対して開閉可能な原稿押さえユニットと、前記原稿押さえユニットを、前記原稿台に対して開閉可能に支持する支持部と、前記原稿押さえユニットを支持せずに、前記原稿押さえユニットの開動作に連動して、原稿が前記支持部側の前記原稿台と前記原稿押さえユニットとの間の隙間から落下するのを防止するように突出する落下防止ユニットと、を備えたことを特徴とする。
【発明の効果】
【０００８】
本発明によれば、原稿押さえユニットに貼り付いた原稿が支持部側の原稿台と原稿押さえユニットとの隙間から落下するのを効果的に防止することができる。
【図面の簡単な説明】
【０００９】
【図１】第１実施形態に係る画像形成装置の一例としての複写機の概略構成を示す説明図である。
【図２】第１実施形態に係る画像読取装置を示す斜視図である。
【図３】第１実施形態に係る画像読取装置において、原稿押圧板の図示を省略した状態を示す斜視図である。
【図４】（ａ）は原稿台カバーが開いている状態を示す画像読取装置の断面図である。（ｂ）は原稿台カバーが開いている状態を示す画像読取装置の要部を示す部分断面図である。
【図５】（ａ）は原稿台カバーが閉じている状態を示す画像読取装置の断面図である。（ｂ）は原稿台カバーが閉じている状態を示す画像読取装置の要部を示す部分断面図である。
【図６】（ａ）は原稿台カバーを開いた状態の画像読取装置を示す側面図である。（ｂ）は原稿台カバーを開いた状態の画像読取装置の要部を示す拡大側面図である。
【図７】第２実施形態に係る画像読取装置において、原稿台カバーの本体の図示を省略した状態を示す斜視図である。
【図８】（ａ）は原稿台カバーが開いている状態を示す画像読取装置の断面図である。（ｂ）は原稿台カバーが開いている状態を示す画像読取装置の要部を示す部分断面図である。
【図９】（ａ）は原稿台カバーが閉じている状態を示す画像読取装置の断面図である。（ｂ）は原稿台カバーが閉じている状態を示す画像読取装置の要部を示す部分断面図である。
【図１０】（ａ）は従来の画像読取装置を示す斜視図である。（ｂ）は従来の画像読取装置を示す側面図である。
【発明を実施するための形態】
【００１０】
以下、本発明を実施するための形態を、図面を参照しながら詳細に説明する。
【００１１】
［第１実施形態］
図１は、第１実施形態に係る画像形成装置の一例としての複写機１００の概略構成を示す説明図である。複写機１００は、画像形成部としての画像形成装置本体２００と、画像形成装置本体２００の上部に設けられた画像読取装置１０１と、を備えている。画像読取装置１０１は、原稿の画像を読み取って画像情報を生成する。画像形成装置本体２００は、画像読取装置１０１から取得した画像情報、又は外部機器から取得した画像情報に基づき、電子写真方式によりシートに画像を形成するものである。なお、画像読取装置１０１は、読み取った画像情報を画像形成装置本体２００に送信する他に、外部コンピュータやファクシミリ等の外部機器にも送信できるようになっている。
【００１２】
図２は、第１実施形態に係る画像読取装置１０１を示す斜視図である。画像読取装置１０１は、原稿台である画像読取装置本体（以下「装置本体」）１０２と、装置本体１０２に対して開閉可能に支持された原稿押さえユニットである原稿台カバー１０３と、を備えている。なお、装置本体１０２上には、原稿台カバー１０３の代わりに不図示の自動原稿搬送装置（ＡＤＦ）を装着可能となっている。
【００１３】
第１実施形態では、原稿押さえユニットが原稿台カバー１０３であり、ユーザが直接、装置本体１０２上に原稿を載置して、装置本体１０２が原稿画像を読み取る「固定読み」の場合について説明する。なお、原稿押さえユニットが不図示のＡＤＦであってもよく、この場合、「固定読み」と、ユーザがＡＤＦに原稿をセットし、自動で原稿を搬送して装置本体１０２が原稿画像を読み取る「流し読み」の２パターンが可能である。
【００１４】
装置本体１０２は、筐体である上フレーム５及び下フレーム６を有する。上フレーム５の内部には、画像読取手段であるイメージセンサユニット９が配置されている。イメージセンサユニット９は、駆動モータ（不図示）の駆動により、ガイドシャフト１０の延びる軸方向にガイドシャフト１０に案内されて移動する。
【００１５】
上フレーム５の上面には、２つの開口が形成されている。上フレーム５の２つの開口のうち一方には、原稿台ガラス（ガラス板）７が設けられ、他方には、流し読みガラス（ガラス板）８が設けられている。原稿台ガラス７上には、ユーザにより原稿が載置される。流し読みガラス８は、不図示のＡＤＦが装着されたときに不図示のＡＤＦにより搬送される原稿が摺動する。
【００１６】
つまり、「固定読み」を行う場合には、原稿台ガラス７（原稿台ガラス７上に載置された原稿）に対してイメージセンサユニット９を移動させて、原稿画像を読み取る。「流し読み」を行う場合には、イメージセンサユニット９を流し読みガラス８に対向する位置に停止させて、ＡＤＦに搬送され流し読みガラス８上を摺動する原稿画像を読み取る。
【００１７】
ガイドシャフト１０の一端には、駆動モータ（不図示）の動力を伝えるギアプーリ（不図示）が配置され、ガイドシャフト１０の他端には、従動プーリ（不図示）が配置されている。ギアプーリと従動プーリとには、無端環状のタイミングベルト１１が掛け渡されている。下フレーム６の内部は、イメージセンサユニット９がホームポジションに存在するか否かを検知する位置検知センサ（不図示）が配置されている。
【００１８】
イメージセンサユニット９により読み取られた画像情報を示す信号は、装置本体１０２の外部、第１実施形態では、図１に示す画像形成装置本体２００の制御装置２５０に不図示のフラットケーブルを介して送信される。
【００１９】
原稿台カバー１０３は、本体１と、本体１において装置本体１０２の側に固定された原稿押圧板２とを有している。本体１は、装置本体１０２の上面を覆うカバー本体であり、例えば樹脂で構成されている。原稿台カバー１０３（本体１）は、装置本体１０２の下フレーム６に複数（２つ）のヒンジ４，４からなる支持部４０を介して装置本体１０２上に支持され、支持部４０のヒンジ４，４を支点として装置本体１０２に対して開閉可能となっている。
【００２０】
原稿押圧板２は、平板状に形成されており、原稿台カバー１０３（本体１）が閉じた状態のときに装置本体１０２の原稿台ガラス７上に載置された原稿に接触して原稿を押圧する位置に配置されている。
【００２１】
つまり、原稿台カバー１０３が閉じた状態のときは、原稿台カバー１０３は水平となって原稿台ガラス７と原稿押圧板２とで原稿を挟み込む。原稿台カバー１０３が開いた状態のときは、原稿台カバー１０３（原稿押圧板２）が装置本体１０２の上面（原稿台ガラス７）に対して傾斜する。
【００２２】
ところで、原稿をコピー又はスキャンする際には、ユーザが原稿台カバー１０３を開けて、原稿台ガラス７上に原稿の原稿面を下向きにセットし、原稿台カバー１０３を閉じて不図示のスタートボタンを押すなどして画像読取装置１０１に読取動作を行わせる。
【００２３】
読取動作終了後、ユーザは原稿を取り出すために再び原稿台カバー１０３を開けることになる。このとき、原稿が薄いシート、例えば一般的な紙などであると、原稿押圧板２と原稿との間で静電気や真空状態などの影響により互いに引きつけ合い、開けた原稿台カバー１０３の原稿押圧板２の表面２Ａに原稿が貼り付いてくる状態となる。
【００２４】
原稿は坪量やサイズが小さく軽いほど、原稿押圧板２に貼り付きやすい傾向にある。ある程度の傾斜角度まで原稿台カバー１０３を開けていくと、やがて原稿押圧板２に沿って原稿が原稿押圧板２に貼り付いたまま平行に滑っていく現象が起こる。
【００２５】
図１０（ａ）は、従来の画像読取装置を示す斜視図である。図１０（ｂ）は、従来の画像読取装置を示す側面図である。図１０（ａ）及び図１０（ｂ）において、画像読取装置１０１Ｘは、原稿台である装置本体１０２Ｘと、装置本体１０２Ｘに対してヒンジ４Ｘ，４Ｘを支点に開閉可能な原稿台カバー１０３Ｘと、を備えている。原稿台カバー１０３Ｘは、本体１Ｘと、本体１Ｘに固定された原稿押圧板２Ｘとを有している。
【００２６】
原稿のコピー又はスキャン終了後、ユーザが原稿台カバー１０３Ｘを開けたとき、原稿押圧板２Ｘに張り付いた原稿が、原稿押圧板２Ｘの傾斜方向（矢印Ｃ方向）に原稿押圧板２Ｘの表面に沿って滑っていく。原稿が矢印Ｃ方向に滑っていき、装置本体１０２Ｘの上面に落下した後、勢いが付いたまま、水平方向である矢印Ｄ方向に滑り続ける。このとき、支持部側であるヒンジ４Ｘ，４Ｘ側の装置本体１０２Ｘと原稿台カバー１０３Ｘとの間には隙間があるため、薄い紙などの原稿は、隙間をすり抜けて装置後方へと落下する。
【００２７】
そこで第１実施形態では、図２に示すように、原稿台カバー１０３が開けられたときに原稿が支持部４０側の装置本体１０２と原稿台カバー１０３との隙間から落下するのを防止する落下防止ユニット３が、原稿台カバー１０３に設けられている。なお、落下防止ユニット３は、原稿台カバー１０３を支持するものではなく、支持部４０の構成要素ではない。
【００２８】
図３は、第１実施形態に係る画像読取装置１０１において、原稿押圧板２の図示を省略した状態を示す斜視図である。落下防止ユニット３は、原稿台カバー１０３の本体１及び原稿押圧板２のうち、本体１に固定して取り付けられている。
【００２９】
図４（ａ）は、原稿台カバー１０３が開いている状態を示す画像読取装置１０１の断面図である。図４（ｂ）は、原稿台カバー１０３が開いている状態を示す画像読取装置１０１の要部を示す部分断面図である。図５（ａ）は、原稿台カバー１０３が閉じている状態を示す画像読取装置１０１の断面図である。図５（ｂ）は、原稿台カバー１０３が閉じている状態を示す画像読取装置１０１の要部を示す部分断面図である。
【００３０】
落下防止ユニット３は、装置本体１０２の側へ突出する突出位置Ｐ１と、装置本体１０２の側へ突出する突出方向Ｄ１とは反対方向Ｄ２に退避する退避位置Ｐ２とに原稿台カバー１０３の開閉に連動して移動可能である。突出位置Ｐ１とは、図４（ａ）及び図４（ｂ）に示す位置であり、原稿台カバー１０３の開動作に連動して原稿が支持部４０側の装置本体１０２と原稿台カバー１０３との間の隙間から落下するのを防止するように突出する位置である。退避位置Ｐ２とは、図５（ａ）及び図５（ｂ）に示す位置であり、原稿台カバー１０３の閉動作に連動して原稿台カバー１０３が突出位置Ｐ１へ向かう突出方向Ｄ１と反対方向Ｄ２に退避する位置である。突出方向Ｄ１は、原稿押圧板２の表面２Ａに垂直な方向である。落下防止ユニット３は、原稿台カバー１０３が開いている状態で、即ち原稿台カバー１０３の開動作に連動して、突出位置Ｐ１へ移動する。また、落下防止ユニット３は、原稿台カバー１０３が閉じている状態で、即ち原稿台カバー１０３の閉動作に連動して、退避位置Ｐ２へ移動する。落下防止ユニット３は、原稿台カバー１０３が開いている状態、即ち突出位置Ｐ１に移動している状態において、原稿押圧板２の表面２Ａよりも突出方向Ｄ１に突出している。また、落下防止ユニット３は、原稿台カバー１０３が閉じている状態のとき、装置本体１０２の上フレーム５に接触して退避位置Ｐ２へ移動する。
【００３１】
落下防止ユニット３は、原稿台カバー１０３（本体１）が開いているときの原稿押圧板２の傾斜方向（矢印Ａ方向）の下端２Ｓよりも傾斜方向の下方の位置において突出方向Ｄ１に突出するように配置されている。即ち、落下防止ユニット３は、原稿押圧板２と支持部４０との間で突出方向Ｄ１に突出するように配置されている。
【００３２】
第１実施形態では、落下防止ユニット３は、弾性変形可能な弾性変形部である板ばね３１と、板ばね３１に固定された突起部材３２とを有している。落下防止ユニット３の板ばね３１がねじ３５で本体１に固定されている。なお、ねじ３５の代わりに粘着テープや接着剤等で落下防止ユニット３を本体１に固定するようにしてもよい。
【００３３】
板ばね３１は、金属又は樹脂等の弾性変形可能な板で構成されている。板ばね３１は、原稿押圧板２と本体１との間に配置され、ねじ３５で本体１に固定されている。板ばね３１は、ねじ３５で固定された位置から原稿押圧板２の下端２Ｓよりも矢印Ａ方向の下方に延びて形成されている。突起部材３２は板ばね３１の下端に固定されている。
【００３４】
原稿台カバー１０３が閉じている状態のとき、落下防止ユニット３の突起部材３２が装置本体１０２の上フレーム５に接触する。突起部材３２が上フレーム５に接触したときの抗力により板ばね３１が弾性変形して突起部材３２が突出位置Ｐ１から退避位置Ｐ２へ移動する。原稿台カバー１０３が開いている状態のとき、突起部材３２が装置本体１０２の上フレーム５から離間することにより、板ばね３１が復元力により変形していない状態に復帰する。これにより、突起部材３２が退避位置Ｐ２から突出位置Ｐ１へ移動し、原稿押圧板２の表面２Ａよりも突出方向Ｄ１に突出する。
【００３５】
図６（ａ）は、原稿台カバー１０３を開いた状態の画像読取装置１０１を示す側面図である。図６（ｂ）は、原稿台カバー１０３を開いた状態の画像読取装置１０１の要部を示す拡大側面図である。
【００３６】
ユーザが原稿台カバー１０３を開けたとき、落下防止ユニット３の突起部材３２は、原稿押圧板２の表面２Ａよりも装置本体１０２の側へ突出する。原稿台カバー１０３を勢いよく開けると、原稿は原稿押圧板２の表面２Ａに貼り付いたまま、原稿押圧板２の表面２Ａに沿って矢印Ａ方向へ滑る。原稿押圧板２の表面２Ａに沿って滑り落ちる原稿は、落下防止ユニット３の突起部材３２へと突き当たり、矢印Ｂ方向（下方）へと落下する。これにより原稿は装置後方へと進む勢いが小さくなり、原稿台ガラス７の方へと落下する。このため、一対のヒンジ４，４の間における原稿台カバー１０３と装置本体１０２との隙間を介して、装置後方に原稿が落下するのを防止することができる。
【００３７】
［第２実施形態］
次に、第２実施形態に係る画像読取装置について説明する。図７は、第２実施形態に係る画像読取装置１０１Ａにおいて、原稿台カバーの本体の図示を省略した状態を示す斜視図である。第２実施形態では、落下防止ユニット３Ａは、原稿台カバー１０３の本体１及び原稿押圧板２のうち、原稿押圧板２に固定して取り付けられている。
【００３８】
図８（ａ）は、原稿台カバー１０３が開いている状態を示す画像読取装置１０１Ａの断面図である。図８（ｂ）は、原稿台カバー１０３が開いている状態を示す画像読取装置１０１Ａの要部を示す部分断面図である。図９（ａ）は、原稿台カバー１０３が閉じている状態を示す画像読取装置１０１Ａの断面図である。図９（ｂ）は、原稿台カバー１０３が閉じている状態を示す画像読取装置１０１Ａの要部を示す部分断面図である。
【００３９】
落下防止ユニット３Ａは、装置本体１０２の側へ突出する突出位置Ｐ１と、装置本体１０２の側へ突出する突出方向Ｄ１とは反対方向Ｄ２に退避する退避位置Ｐ２とに原稿台カバー１０３の開閉に連動して移動可能である。落下防止ユニット３Ａは、原稿台カバー１０３が開いている状態で突出位置Ｐ１へ移動し、原稿台カバー１０３が閉じている状態で退避位置Ｐ２へ移動する。落下防止ユニット３Ａは、原稿台カバー１０３が開いている状態、即ち突出位置Ｐ１に移動している状態において、原稿押圧板２の表面２Ａよりも突出方向Ｄ１に突出している。また、落下防止ユニット３Ａは、原稿台カバー１０３が閉じている状態のとき、装置本体１０２の上フレーム５に接触して退避位置Ｐ２へ移動する。
【００４０】
落下防止ユニット３Ａは、原稿台カバー１０３（本体１）が開いているときの原稿押圧板２の傾斜方向（矢印Ａ方向）の下端２Ｓよりも傾斜方向の下方の位置において突出方向Ｄ１に突出するように配置されている。即ち、落下防止ユニット３Ａは、原稿押圧板２と支持部４０との間で突出方向Ｄ１に突出するように配置されている。
【００４１】
第２実施形態では、落下防止ユニット３Ａは、弾性変形可能な弾性変形部である板ばね３１Ａと、板ばね３１Ａに固定された突起部材３２Ａとを有している。落下防止ユニット３Ａの板ばね３１Ａが粘着テープや接着剤等の固定部材３５Ａで原稿押圧板２に固定されている。
【００４２】
板ばね３１Ａは、金属又は樹脂等の弾性変形可能な板で構成されている。板ばね３１Ａは、原稿押圧板２と本体１との間に配置され、固定部材３５Ａで原稿押圧板２の裏面（原稿が接する表面２Ａに対して反対側の面）２Ｂに固定されている。板ばね３１Ａは、固定部材３５Ａで固定された位置から原稿押圧板２の下端２Ｓよりも矢印Ａ方向の下方に延びて形成されている。突起部材３２Ａは板ばね３１Ａの下端に固定されている。
【００４３】
原稿台カバー１０３が閉じている状態のとき、落下防止ユニット３Ａの突起部材３２Ａが装置本体１０２の上フレーム５に接触する。突起部材３２Ａが上フレーム５に接触したときの抗力により板ばね３１Ａが弾性変形して突起部材３２Ａが突出位置Ｐ１から退避位置Ｐ２へ移動する。原稿台カバー１０３が開いている状態のとき、突起部材３２Ａが装置本体１０２の上フレーム５から離間することにより、板ばね３１Ａが復元力により変形していない状態に復帰する。これにより、突起部材３２Ａが退避位置Ｐ２から突出位置Ｐ１へ移動し、原稿押圧板２の表面２Ａよりも突出方向Ｄ１に突出する。
【００４４】
以上の構成により、ユーザが原稿台カバー１０３を開けたとき、落下防止ユニット３Ａの突起部材３２Ａは、原稿押圧板２の表面２Ａよりも装置本体１０２の側へ突出する。原稿台カバー１０３を勢いよく開けると、原稿は原稿押圧板２の表面２Ａに貼り付いたまま、原稿押圧板２の表面２Ａに沿って矢印Ａ方向へ滑る。原稿押圧板２の表面２Ａに沿って滑り落ちる原稿は、落下防止ユニット３Ａの突起部材３２Ａへと突き当たり、下方へと落下する。これにより原稿は装置後方へと進む勢いが小さくなり、原稿台ガラス７の方へと落下する。このため、一対のヒンジ４，４の間における原稿台カバー１０３と装置本体１０２との隙間を介して、装置後方に原稿が落下するのを防止することができる。
【００４５】
なお、本発明は、以上説明した実施形態に限定されるものではなく、本発明の技術的思想内で多くの変形が可能である。また、実施形態に記載された効果は、本発明から生じる最も好適な効果を列挙したに過ぎず、本発明による効果は、実施形態に記載されたものに限定されない。
【００４６】
上述の実施形態では、画像形成装置が、複写機である場合について説明したが、これに限定するものではなく、プリンタ、ファクシミリ、複合機等であってもよい。
【００４７】
また、上述の実施形態では、落下防止ユニットが、板ばねと突起部材とで構成されている場合について説明したが、これに限定するものではない。落下防止ユニットの全体が弾性部材で構成された弾性変形部であってもよい。例えば、落下防止ユニットがＬ字形状に形成された板ばねで構成されていてもよい。また、原稿台カバーの本体と突起部材との間に弾性変形部である圧縮コイルばねを配置して落下防止ユニットを構成してもよい。
【００４８】
また、上述の実施形態では、原稿台カバー１０３の本体１または原稿押圧板２に固定されている落下防止ユニットの構成を示したが、これに限らず、装置本体１０２側から原稿押圧板２側へ突出するような構成であってもよい。これによっても、一対のヒンジ４，４の間における原稿台カバー１０３と装置本体１０２との隙間を介して、装置後方に原稿が落下するのを防止することができる。
【符号の説明】
【００４９】
１…本体、２…原稿押圧板、３…落下防止ユニット、４０…支持部、１００…複写機（画像形成装置）、１０１…画像読取装置、１０２…装置本体（原稿台）、１０３…原稿台カバー（原稿押さえユニット）、２００…画像形成装置本体（画像形成部）
【図１】
2018054902.tif 000003
【図２】
2018054902.tif 000004
【図３】
2018054902.tif 000005
【図４】
2018054902.tif 000006
【図５】
2018054902.tif 000007
【図６】
2018054902.tif 000008
【図７】
2018054902.tif 000009
【図８】
2018054902.tif 000010
【図９】
2018054902.tif 000011
【図１０】
2018054902.tif 000012